(57)【要約】【課題】本発明は、コインを投入してハンドルを操作するとカードが、カードカバーとともに外部取出口より突出し、突出量が整ったときに外部取出口内に没入するようにしたカード自動販売機を提供する。【解決手段】本願カード販売機１は、コイン４を投入してハンドル５を操作すると、外部取出口６からカード入りパック（パックとして説明しているが、カード単独でもよい）７の先端が、カードカバー８に被包された状態で突出する。したがって、その突出過程（カード先端の突出量が整う前）ではカード先端はカードカバー８にガードされて手指で摘まれて無理に引き出されることが確実に禁止される一方、カードカバー８はカード先端の突出量が整うと、カード先端を残して外部取出口内に没入するから、その後は、カード先端を手指で摘んで引き出すことを許容するように構成されている。【選択図】図１
2005182319.tif 000002
【特許請求の範囲】
【請求項１】
コインストッカーにコインがあるときに操作状態になるハンドルと、該ハンドルの操作に連動してケーシングからカードまたはカード入りパックを外部取出口に先端部が現れるように突出させる搬出体とを備えたカード自動販売機において、前記ハンドルの操作に連動して前記外部取出口からカードまたはカード入りパックとともに突出し、該カードまたはパック先端の突出量が整った時点で該外部取出口内に没入するカードカバーを設けたことを特徴とするカード自動販売機。
【請求項２】
前記カードカバーが、手指を差込めないリップ部を有するものであることを特徴とする請求項１に記載のカード自動販売機。
【請求項３】
前記カードカバーが、平時には没入方向にバネ付勢され、突出方向にはハンドルの操作に連動するカム条に係合して前記バネ力に抗して行われることを特徴とする請求項１または２に記載のカード自動販売機。
【発明の詳細な説明】
【技術分野】
【０００１】
本発明は、自動販売機、詳しくは、切符、チケット、プリペイドカード、トレーディングカード等のカードまたはカード入りパックの自動販売機に関するものである。
【背景技術】
【０００２】
従来、この種の自動販売機として実用新案登録第２５２３２４３号公報がある。この自動販売機は、硬化（コイン）投入後、操作ツマミを回すことで作動する送りロールによりカード（束）を供給口から手指で摘み出せる程度送り出す技術が示されている。自動販売機において、供給口から完全に排出することも可能であるが、そうした場合、カード受け具を設ける必要があり、自動販売機全体が大型化する不都合がある。この意味でカードの送り出し量は手指で摘まみ出せる程度に留めることが有効である。
【０００３】
自動販売機において、カードの送り出し量を手指で摘まみ出せる程度に留める技術を採用する場合、１回の購買で送り出したカードを摘まみ出さない前に、次のカード購入すると、供給口に残る前のカードが邪魔して送り出し量が減少したり、供給口でカードが詰まる虞があった。
【０００４】
そこで、本発明者は、先に、特願２００３−１９２４９２を提案した。これにはコインを投入してハンドル操作により送り出したカードを、摘まみ出さない前に、次のカード購入をしてもハンドル操作を不能にし、カードの二重突出（送り出し）禁止機構を備えていた。
【特許文献１】実用新案登録第２５２３２４３号公報
【特許文献２】特願２００３−１９２４９２
【発明の開示】
【発明が解決しようとする課題】
【０００５】
しかしながら、上記新提案に係るカード自動販売機は、コインを投入してハンドルを操作している過程（カード先端の突出量が整う前）、すなわち、パックの先端が外部取出口から出始めた時点において、カードが無理に引き出されると、不正に（二重に）カードが取り出されたり、故障の原因になったりする虞があった。
【０００６】
本発明は、上記問題を解消するためのもので、その目的とするところは、コインを投入してハンドルを操作して、外部取出口からカードとともにカードカバーを突出させ、カード先端の突出量が整った時点ではカードカバーが外部取出口内に没入してカードが引き出せるようにしたカード自動販売機を提供することにある。
【課題を解決するための手段】
【０００７】
上記目的を達成するため、本発明に係るカード販売機は、コインストッカーにコインがあるときに操作状態になるハンドルと、該ハンドルの操作に連動してケーシングからカードまたはカード入りパックを外部取出口に先端部が現れるように突出させる搬出体とを備えたカード自動販売機において、前記ハンドルの操作に連動して前記外部取出口からカードまたはカード入りパックとともに突出し、該カードまたはパック先端の突出量が整った時点で該外部取出口内に没入するカードカバーを設けたことを特徴とするものである。
【０００８】
また、請求項２に記載の発明に係るカード自動販売機は、前記カードカバーが、手指を差込めないリップ部を有するものであることを特徴とするものである。
【０００９】
さらに、請求項３に記載の発明に係るカード自動販売機は、前記カードカバーが、平時には没入方向にバネ付勢され、突出方向にはハンドルの操作に連動するカム条またはカム溝に係合して前記バネ力に抗して行われることを特徴とするものである。
【発明の効果】
【００１０】
本発明に係るカード自動販売機は、コインを投入してハンドルを操作すると、外部取出口からカードまたはカード入りパック先端がカードカバーにガードされた状態で突出するため、突出過程（カード先端の突出量が整う前）ではカードまたはパック先端が手指で摘まれて、無理に引き出されることを確実に禁止できる。また、カードカバーは、カードまたはパック先端の突出量が整うと、カード先端をそのまま残して外部取出口内に没入するから、その後はカード先端を手指で摘んで引き出すことが許容されるという優れた効果を奏するものである。
【００１１】
また、請求項２記載の発明に係るカード自動販売機は、前記カードカバーが、手指を差込めないリップ部を有するものであり、カードまたはパック先端のガードを確実にするという優れた効果を奏するものである。
【００１２】
さらに、請求項３記載の発明に係るカード販売機は、前記カードカバーが、平時には没入方向にバネ付勢され、突出方向にはハンドルの操作に連動するカム条に係合して前記バネ力に抗して行われるもので、構造至簡にして故障が生じ難いという優れた効果を奏するものである。
【発明を実施するための最良の形態】
【００１３】
次に、本発明の実施の形態を図面に基づいて説明する。図１は本願カード自動販売機の外観斜視図、図２はハンドルとコインストッカーとの関係を示す説明図、図３は本願カード自動販売機の要部の作用を示す断面で、（ａ）は作動前の状態、（ｂ）はカードカバーを突出させた状態、（ｃ）はカード先端を残してカードカバーが没入した状態である。
【００１４】
本願カード自動販売機１は、１つの外筐体２内に２基が並列に設置されている（勿論、２基に限らない）。しかして、本願カード自動販売機１は、外筐体２の前面上部に設けたコイン投入孔３よりコイン４を投入してからハンドル５を操作（右廻り方向に回す）すると、外部取出口（カード供給口）６よりカード入りパック（カード単独でもよい）７の先端部が突出するようになっている。このパック７の先端部が外部取出口６より突出するとき、これをガードするようにカードカバー８が突出する（外筐体２の前面の左側の外部取出口６を参照）。このカードカバー８は、前記ハンドル５を一回転させる間に、外部取出口６内に没入し、パック７の先端部を突出したまま残すようになっている（外筐体２の前面の右側の外部取出口６を参照）。
【００１５】
前記外筐体２の前面上部には、コイン投入孔３よりいったん投入したコイン４をキャンセルするための押しボタン９が設けられている。該押しボタン９を押してキャンセルしたコインは戻し口１０に戻される。該戻し口１０にはコイン投入孔３より投入したコイン４が不適正（偽造コイン等）の場合も戻されるようになっている。なお、図中、１１はカード入りパック７が後記するケーシング内になくなったことを表示するためのパック切れ表示部、１２は前記パック７に封入した代表的カードまたはその見本などを挟み込めるようにした前面パネルである。
【００１６】
前記コイン投入孔３より投入したコイン４は、図２の如く、適正コインを通過させるコインセレクター機構１３を経てコインストッカー１４に導入される。該コインストッカー１４は、コイン４を受領するコイン検出器１４ａを備えている。該コイン検出器１４ａは支軸１４ｂを中心に矢印Ａ方向（右方向）に可動し、その可動端に植設されたピン１４ｃが、前記ハンドル５にギア連係された回転体１５の外周枠内縁に形成された突子１６の作用域から逃げるようになっている。換言すれば、コイン投入孔３より投入したコイン４がコインストッカー（コイン検出器１４ａに受領された状態）１４にあるときは、ハンドル５は操作可能になる一方、コインストッカー１４にコイン４がないときは前記ピン１４ｃに前記突子１６が当接してハンドル５が回らないようになっている。
【００１７】
前記回転体１５はその外周枠外面に設けたラチェット１５′に係止している爪片１７の作用により矢印Ｂ方向へのみ回転（一方向回転）可能になっている。即ち、ハンドル５を矢印Ｃ方向（右廻り方向）に回したときに、ベベルギア１８、１８′、ギア１９、２０、２１及び２２を経て順次矢印のように伝達されるようになっている。
【００１８】
前記ハンドル５を矢印Ｃ方向に操作すると、これに連動して搬出体２３が矢印Ｄ方向に回転する。これによりケーシング２４内に積層・収納されたカード入りパック７が１個宛分離されて外部取出口６に向けて搬出されるようになっている。この搬出体２３は図示の例ではハンドル５にそれぞれ連係回転できる２つのゴムローラ２３ａ、２３ｂにより構成しているが、コンベアーベルトにより構成してもよい。なお、前記搬出体２３は、図示の例では、カード入りパック７を積層・収納したケーシング２４の底部に設置され、カード入りパック７をケーシング２４の下から順にパック搬出路２５を通して送り出せるようになっている。勿論、これ以外の構成にすることも可能である。
【００１９】
前記カード入りパック７の突出時、該パック７の先端部をガードするようにカードカバー８がパック搬出路２５を通って前記外部取出口６からリップ状に出没することができるようになっている。このカードカバー８はリップ部が手指を差込めない扁平筒体になっている。該カードカバー８は、平時にはバネ（図面ではコイルバネを示しているが、他のバネを利用することも可能である）２６の作用により没入方向に付勢されている。そして、該カードカバー８は、その一部（下面）に設けた突子８′を、前記ハンドル５の円周に沿って設けたカム条（またはカム溝でもよい。勿論、カム溝にするときは前記バネは不要となる）２７に係合させ、該ハンドル５の操作により前記バネ２６のバネ力に抗して突出方向に付勢できるようになっている。
【００２０】
前記カードカバー８は、前記外部取出口６を出没することから、該外部取出口６の口径に対してある程度の摺動スペース（ガタ）が確保されるが、該摺動スペースは摺動性の良好なプラスチック素材を用いることによって、より小さくすることが可能となる。また、カードカバー８はリップ部（外部取出口６から突出する部分の上下寸法）について、手指を差込めないと定義したが、これは親指と人指し指とを合わせた状態で差込めないか、差込めても摘まみ動作ができない程度の大きさまでも含むことは勿論である。
【００２１】
次に、本願カード販売機１の要部の作用を図３に基づいて説明する。まず、コイン投入孔３よりコイン４を投入する。該コイン４がコインストッカー１４に受領されると、ハンドル５は操作可能（右廻り方向）となる。このハンドル５を所定のように操作し、これに連動して搬出体２３を作動させると、ケーシング２４内に積層・収納されているカード入りパック７が１個宛、パック搬出路２５を通して外部取出口６に向けて搬出させる。図３（ａ）は、前記ハンドル５の操作前のカードカバー８の初期位置を示している。
【００２２】
前述の如く、ハンドル５の操作によりカード入りパック７がパック搬出路２５を通って外部取出口６から突出するとき、前記ハンドル５の円周に設けたカム条２７の作用で、図３（ｂ）の如く、前記カードカバー８がパック７の先端部を被包するように突出する。したがって、パック７の突出過程ではパック７の先端部は手指が差込めないリップ部にてガードされ、手指で摘んで引き出されることが確実に禁止される。
【００２３】
しかして、ハンドル５の回転をさらに継続し、カード入りパック７の先端部が外部取出口６から必要量突出した時点（ハンドル５の回転角は自由に決定できる）において、該ハンドル５の円周に設けたカム条２７の作用で、図３（ｃ）の如く、前記カードカバー８がバネ２６の作用で、初期位置にいっきに戻される。すなわち、パック７の先端部の突出量は二点鎖線の如く、手指で摘める長さに整うため確実に引き出すことが可能となる。換言すれば、カード入りパック７は、ハンドル操作が完了しない限り不正に引き出されることが確実に規制できるものである。
【産業上の利用可能性】
【００２４】
本願カード自動販売機１は、カードを複数枚ごとにプラスチックフィルム素材でピロパックしたものを販売の対象とするものであるが、単独カードの販売機としても応用できることは勿論である。また、本願カード自動販売機１の販売対象のカード入りパックは定期的に補給され、また、販売時の単価（投入コインの種類及びその枚数）についてもコインストッカー１４の構造により自由に決定できる。
【図面の簡単な説明】
【００２５】
【図１】本願カード販売機の外観斜視図である。
【図２】ハンドルとコインストッカーとの関係を示す説明図である。
【図３】本願カード販売機の要部の作用を示す断面図で、（ａ）は作動前の状態を、（ｂ）はカードカバーとともに突出させた状態を、（ｃ）はパック先端を突出したまま残してカードカバーを没入させた状態をそれぞれ示している。
【符号の説明】
【００２６】
１  本願カード自動販売機
２  外筐体
３  コイン投入孔
４  コイン
５  ハンドル
６  外部取出口
７  カード入りパック
８  カードカバー
８′  突子
９  戻し口
１０  キャンセルボタン
１１  パック切れ表示部
１２  前面パネル
１３  コインセレクター機構
１４  コインストッカー
１４ａ  コイン検出器
１４ｂ  支軸
１４ｃ  ピン
１５  回転体
１５′  ラチェット
１６  突子
１７  爪片
１８、１８′  ベベルギア
１９、２０、２１、２２  ギア
２３  搬出体
２４  ケーシング
２５  搬出路
２６  バネ
２７  カム
【図１】
2005182319.tif 000003
【図２】
2005182319.tif 000004
【図３】
2005182319.tif 000005